(57)【要約】【課題】  住宅建物における家屋侵入の方法や泥棒の行動をわかり易く説明することができる家屋侵入解説装置を提供する。【解決手段】  住宅展示棟１０内に、住宅建物１１が設けられてなり、住宅建物１１の駐車スペース１２にはカーポート２が設けられ、このカーポート２上には泥棒を模した人形の模型２４が設けられて地上と二階窓１１ｊとの間を動くようになされた家屋侵入解説装置１である。住宅建物１１のアプローチ空間１３には、人が隠れることが可能な高さとなされた塀３が設けられ、道路Ａ側から見たこの塀３の背後の敷地内には、泥棒を模した人形の模型３３が出没するようになされた家屋侵入解説装置１。【選択図】  図１
2005249899.tif 000002
【特許請求の範囲】
【請求項１】
住宅展示棟内に、住宅建物が設けられてなり、住宅建物の駐車スペースにはカーポートが設けられ、このカーポート上には泥棒を模した人形の模型が設けられて地上と二階窓との間を動くようになされたことを特徴とする家屋侵入解説装置。
【請求項２】
住宅展示棟内に、住宅建物が設けられてなり、住宅建物の玄関前には、人が隠れることが可能な高さとなされた塀が設けられ、道路側から見たこの塀の背後の敷地内には、泥棒を模した人形の模型が出没するようになされたことを特徴とする家屋侵入解説装置。
【請求項３】
住宅展示棟内に、住宅建物が設けられてなり、住宅建物の勝手口部前には、犬小屋が設けられ、この犬小屋には、人が近づいてきたことを感知するセンサーと、このセンサーで感知して起動する番犬を模した模型と、模型の動きを停止させるスイッチとが設けられ、番犬の餌を模した疑似餌片でスイッチを操作することで、起動した番犬の動きを停止させて餌で番犬を手名づける様子を再現するようになされたことを特徴とする家屋侵入解説装置。
【請求項４】
住宅建物の周縁には、洗濯物が干された物干し、住所または電話番号を明記した自転車、のうち、少なくとも何れか一つ以上が設けられた請求項１ないし３の何れか一記載の家屋侵入解説装置。
【請求項５】
住宅建物には、外からドライバーで外すことができるようになされた格子を有する窓、開いた状態で内側にルーバーを押し込むことでルーバーを外すことができるようになされた窓、のうち、少なくとも何れか一つ以上が設けられた請求項１ないし３の何れか一記載の家屋侵入解説装置。
【発明の詳細な説明】
【技術分野】
【０００１】
本発明は、住宅建物における家屋侵入の方法や泥棒の行動をわかり易く説明するための体験装置に関するものである。
【背景技術】
【０００２】
従来より、住宅建物においては、泥棒などが家屋内に侵入しないように、数々の防犯対策が施されている。
【０００３】
これらの防犯対策は、住宅建物のカタログに紹介したり、展示住宅に訪れた購入予定者に、口頭で説明したりしていた。そして、この説明によって、防犯対策に優れた住宅建物とはどのようなものであるのかを理解してもらっていた。
【発明の開示】
【発明が解決しようとする課題】
【０００４】
しかし、防犯に関して専門知識の無い者がカタログのみで説明することは難しく、展示住宅に訪れた購入予定者に対しても充分に説明することができない。
【０００５】
本発明は、係る実情に鑑みてなされたものであって、住宅建物における家屋侵入の方法や泥棒の行動をわかり易く説明することができる家屋侵入解説装置を提供することを目的としている。
【課題を解決するための手段】
【０００６】
上記課題を解決するための本発明の家屋侵入解説装置は、住宅展示棟内に、住宅建物が設けられてなり、住宅建物の駐車スペースにはカーポートが設けられ、このカーポート上には泥棒を模した人形の模型が設けられて地上と二階窓との間を動くようになされたものである。
【０００７】
また、上記課題を解決するための本発明の家屋侵入解説装置は、住宅展示棟内に、住宅建物が設けられてなり、住宅建物の玄関前には、人が隠れることが可能な高さとなされた塀が設けられ、道路側から見たこの塀の背後の敷地内には、泥棒を模した人形の模型が出没するようになされたものである。
【０００８】
さらに、上記課題を解決するための本発明の家屋侵入解説装置は、住宅展示棟内に、住宅建物が設けられてなり、住宅建物の勝手口部前には、犬小屋が設けられ、この犬小屋には、人が近づいてきたことを感知するセンサーと、このセンサーで感知して起動する番犬を模した模型と、模型の動きを停止させるスイッチとが設けられ、番犬の餌を模した疑似餌片でスイッチを操作することで、起動した番犬の動きを停止させて餌で番犬を手名づける様子を再現するようになされたものである。
【０００９】
さらに、上記課題を解決するための本発明の家屋侵入解説装置は、住宅建物の周縁には、洗濯物が干された物干し、住所または電話番号を明記した自転車、のうち、少なくとも何れか一つ以上が設けられたものである。また、上記家屋侵入解説装置において、住宅建物には、外からドライバーで外すことができるようになされた格子を有する窓、開いた状態で内側にルーバーを押し込むことでルーバーを外すことができるようになされた窓、のうち、少なくとも何れか一つ以上が設けられたものである。
【発明の効果】
【００１０】
以上述べたように、本発明によれば、住宅建物における家屋侵入の方法や泥棒の行動を、住宅展示棟内に設けられた住宅建物を利用してわかり易く説明することができる。
【発明を実施するための最良の形態】
【００１１】
以下、本発明の実施の形態を図面を参照して説明する。
【００１２】
図１は家屋侵入解説装置１の全体構成の概略を示し、図２ないし図６は同家屋侵入解説装置１の各要部を示している。
【００１３】
すなわち、この家屋侵入解説装置１は、住宅展示棟１０内に住宅建物１１を設けて構成されており、この住宅建物１１の駐車スペース１２にはカーポート２が設けられ、玄関ドア１１ａの前方には、玄関ドア１１ａへのアプローチ空間１３を隔てて塀３が設けられ、勝手口１１ｂの前の裏庭１４には犬小屋４が設けられている。
【００１４】
住宅建物１１は、その一部分が、住宅展示棟１０内に外構を含めて構成されている。ただし、住宅建物１１は、外表面だけが構成され、内部は居住空間が構成されず玄関ドア１１ａと勝手口１１ｂとをつなぐ通路１１ｃが形成されているのみとなっている。具体的には、玄関ドア１１ａに隣接した外壁面１１ｄに、図５に示すように、複数のルーバー５０で開閉するようになされたスリット窓５が設けられている。このスリット窓５が設けられた外壁面１１ｄに対して直交する外壁面１１ｅには、掃き出し窓１１ｆが設けられている。この掃き出し窓１１ｆが設けられた外壁面１１ｅに対して直交する外壁面１１ｇを経て住宅建物１１の裏へ回り込んだ位置にある、掃き出し窓１１ｄと反対側の外壁面１１ｈには、図６に示すように、格子６０を有する腰窓６と、前記した勝手口１１ｂとが設けられている。また、玄関ドア１１ａに対して直交する方向に隣接する外壁面１１ｉの二階部分に相当する位置には腰窓１１ｊが設けられている。
【００１５】
カーポート２は、玄関ドア１１ａの横であって、外壁面１１ｊの前方の駐車スペース１２に設けるようになされている。この駐車スペース１２は、住宅展示棟１０の大きさの関係から、道路Ａ側から自動車１２ａを約半分程度納めることができる大きさに制限して形成されており、約半分に切断した自動車１２ａの切断面を、外壁面１１ｋに貼り付けるようにして駐車スペース１２に自動車１２ａを納めた状態を表現するようになされている。自動車１２ａの前方横には、自転車１２ｂを止めている。カーポート２は、自動車１２ａと同様に約半分に切断されたものが、この自動車１２ａの頭上に位置するように設けられる。このカーポート２は、図２および図３に示すように、自動車１２ａを挟んで外壁面１１ｉと対向する位置から立設されたフレーム２１が自動車１２ａの頭上の位置で外壁面１１ｉ方向に折り曲げられて自動車１２ａの頭上全体を覆うようになされいる。そして、フレーム２１の外側にポリカーボネートやアクリル板などの雨除けとなる樹脂板２２が被覆されて形成されている。このカーポート２の外壁面１１ｋに近い側には、カーポート２の外表面に沿ってレール２３が設けられている。そして、このレール２３には、泥棒を模した人形の模型２４が模型２４内に内蔵されたモータ（図示省略）の駆動によってレール２３を往復動するようになされている。
【００１６】
これにより、泥棒を模した人形の模型２４がカーポート２の上に上がり、このカーポート２を利用して住宅建物１１の外壁面１１ｉの二階部分にある腰窓１１ｊから侵入する様子を表現するようになされている。
【００１７】
この模型２４は、駐車スペース１２に設けたスイッチ（図示省略）を操作することによって作動するようにしたものであってもよいし、駐車スペース１２に人が居ることを光電管センサー（図示省略）などで察知して作動するようにしたものであってもよいし、所定時間間隔で作動するようにしたものであってもよい。
【００１８】
塀３は、玄関ドア１１ａの前方に、玄関ドア１１ａへのアプローチ空間１３を隔てて設けられている。塀３は高さ約１２００ｍｍのコンクリート製からなり、玄関ドア１１ａの正面出入り口にはアルミ製の出入り口３１が設けられている。この出入り口３１を入って玄関ドア１１ａへと到るアプローチ空間１３の部分には、塀３に対して直交する方向に塀３と略同じ高さの植採３２が設けられている。塀３の外側には、塀３に接近して電信柱３０が設けられている。植採３２には、一部分植え込みの無い部分が形成されており、その部分に泥棒を模した人形の模型３３が設けられている。この模型３３は、シリンダ（図示省略）の駆動によって植採３２から出没することができるようになされている。
【００１９】
これにより、泥棒を模した人形の模型３３が、塀３や植採３２の背後に隠れて住宅建物１１の内部に侵入しようとしている様子を表現するようになされている。
【００２０】
この模型３３は、アプローチ空間１３に設けたスイッチ（図示省略）を操作することによって作動するようにしたものであってもよいし、出入り口３１の開閉に合わせて作動するようになされたものであってもよいし、アプローチ空間１３に人が居ることを光電管センサー（図示省略）などで察知して作動するようにしたものであってもよい。また、この模型３３は、一部分植え込みの無い植採３２の部分から出没するようになされているが、道路Ａ側から見て塀３の背後となるアプローチ空間１３に設けられて道路Ａ側に出没するようになされたものであってもよい。
【００２１】
犬小屋４は、勝手口１１ｂの前の裏庭１４に設けられている。この犬小屋４には、図４に示すように、人が近づいてきたことを感知するセンサー４１と、このセンサー４１で感知して起動する番犬を模した模型４２と、模型４２の動きを停止させるスイッチ４３とが設けられている。センサー４１は、犬小屋４の前方底部に設けられている。模型４２は、モーターやアエシリンダー（図示省略）などで駆動する模型本体の表面を番犬を模した着ぐるみで被覆して構成されており、起動によって、番犬の鳴き声をスピーカーから発生して番犬が騒いでいる様子を表現するようになされている。スイッチ４３は、犬小屋４の外側に立設された柱４４の上端部に設けられている。このスイッチ４３は軽く触れることによってオンオフを繰り返すことができるようになされている。
【００２２】
したがって、勝手口１１ｂの前の裏庭１４に近づくとセンサー４１が感知して番犬を模した模型４２が騒ぎだすこととなるが、番犬の餌を模した疑似餌片４５でスイッチ４３に触れると、模型４２の動きが停止することとなるので、餌で番犬を手名づける様子を再現することができる。
【００２３】
また、この裏庭１４には、物干し７が設けられて洗濯物７１が干されている。
【００２４】
次に、このようにして構成される家屋侵入解説装置１によって、家屋侵入のの方法や泥棒の行動を説明する。
【００２５】
まず、住宅展示棟１０の案内員は、見学に訪れた住宅建物１１の購入予定者を住宅建物１１の道路Ａ側からカーポート２の位置に案内する。ここでは、泥棒を模した人形の模型２４がカーポート２の上に上がり、このカーポート２を利用して住宅建物１１の外壁面１１ｉの二階部分にある腰窓１１ｊから侵入する様子を見てもらうことで、泥棒の侵入手口の一つを解説することができる。また、駐車スペース１２に止められた自転車１２ｂは、フェンダー部分に住所氏名電話番号などの記載がある場合が多いので、この電話番号の記載から、携帯電話で電話をかけて住宅建物１１の中に人が居るか否かを確認する手口を解説する。
【００２６】
次に、案内員は、購入予定者を道路Ａ側から出入り口３１の前に案内し、この出入り口３１からアプローチ空間１３へと入ってもらう。ここでは、塀３の素材がコンクリート製で、かつ、高さが約１２００ｍｍの高さもあり、この塀３と略同じ高さの植採３２が設けられていることから、これら塀３や植採３２が道路Ａを通行する人からの人目を避ける格好の隠れ場になることを解説する。この際、泥棒を模した人形の模型３３が、植採３２から出没することで、実際に、塀３や植採３２の背後に隠れて住宅建物１１の内部に侵入しようとしている様子を表現することができ、高さのある塀３や植採３２が格好の隠れ場になることを容易に説明することができる。
【００２７】
また、アプローチ空間１３では、スリット窓５の前に案内し、図５に示すように、複数のルーバー５０で開閉するようになされたスリット窓５の場合、ルーバー５０が斜めに傾いて若干開いた状態になっていると、ルーバー５０を室内方向に押し込むことによってルーバー５０を取り外して侵入することができることを解説する。また、掃き出し窓１１ｆからは、カーテンがなければ、内部の様子を伺うことができることを解説する。また、電気メーター、ガスメーターの動きなどから住宅建物１１内に人が居るか否かを確認することができることを解説する。また、これらは、塀３や植採３２が高く泥棒が隠れ易い場所を形成していることに起因することも解説する。
【００２８】
次に、案内員は、購入予定者をアプローチ空間１３から勝手口１１ｂの前方の裏庭１４に案内する。ここでは、犬小屋４のセンサー４１が人の接近を感知して番犬を模した模型４２が騒ぎだすこととなるが、番犬の餌を模した疑似餌片４５でスイッチ４３に触れると、模型４２の動きが停止することとなるので、餌で番犬を手名づけることによって番犬をおとなしくさせる泥棒の手口を解説する。
【００２９】
また、この裏庭１４では、腰窓６の前に案内し、図６に示すように、外からドライバー６１で格子６０を取り外すことができるようになされた腰窓６の場合、格子６０を取り外して容易に侵入することができることを解説する。また、物干し７に洗濯物７１が干してあることによって、住宅建物１１内に人が居る可能性があることを解説したり、また、雨が降っているにも関わらず、物干し７に洗濯物７１が干してあるような場合には住宅建物１１内に人が居ない可能性が高いことを解説する。
【００３０】
このように、この家屋侵入解説装置１によると、案内員は、数々有る泥棒の侵入手口や侵入方法を、住宅展示棟１０内に形成した実際の住宅建物１１を使って判り易く解説することができる。同時に、購入予定者は、容易に理解することができることとなる。
【００３１】
なお、本実施の形態において、家屋侵入解説装置１は、住宅建物１１の周縁に駐車スペース１２、玄関アプローチ１３、裏庭１４の三箇所を形成するようになされているが、これらのうち少なくとも一箇所以上を周縁に形成するようになされた住宅建物１１であってもよい。
【００３２】
また、本実施の形態において、家屋侵入解説装置１は、駐車スペース１２、玄関アプローチ１３、裏庭１４の順番に案内するようになされているが、この案内する順番については特に限定されるものではなく、必要に応じて適宜案内する順番が変わってもよい。
【産業上の利用可能性】
【００３３】
住宅建物の販売促進を図る装置として利用できる。
【図面の簡単な説明】
【００３４】
【図１】本発明に係る家屋侵入解説装置の全体構成の概略を示す斜視図である。
【図２】家屋侵入解説装置のカーポート部分を示す正面図である。
【図３】家屋侵入解説装置のカーポート部分を示す側面図である。
【図４】家屋侵入解説装置の犬小屋部分を示す斜視図である。
【図５】家屋侵入解説装置のスリット窓部分を示す斜視図である。
【図６】家屋侵入解説装置の格子を有する腰窓部分を示す斜視図である。
【符号の説明】
【００３５】
１  家屋侵入解説装置
１０  住宅展示棟
１１  住宅建物
１１ａ  玄関ドア
１１ｂ  勝手口
１１ｊ  腰窓
１２  駐車スペース
１２ｂ  自転車
１３  アプローチ空間
１４  裏庭
２  カーポート
２４  模型
３  塀
３２  植採
３３  模型
４  犬小屋
４１  センサー
４２  模型
４３  スイッチ
４５  疑似餌片
５  スリット窓
５０  ルーバー
６  腰窓
６０  格子
６１  ドライバー
７  物干し
７１  洗濯物
Ａ  道路
【図１】
2005249899.tif 000003
【図２】
2005249899.tif 000004
【図３】
2005249899.tif 000005
【図４】
2005249899.tif 000006
【図５】
2005249899.tif 000007
【図６】
2005249899.tif 000008